(57)【要約】【課題】  認証用のセンサ部が常に外部に晒されるような状態を無くし、専用の設置スペースを必要とせずに、特定使用者の認証を行うことを可能にする。【解決手段】  所定領域が透過表示可能となされたサブ液晶ディスプレイ２５と、サブ液晶ディスプレイ２５の内側に配された認証用カメラモジュール２１と、赤外線光を出射する赤外線ＬＥＤを内蔵したバックライト用のＬＥＤ部２３と、サブ液晶ディスプレイ２５が使用者の指により押されたことを検知する圧力センサ２０とを有する。そして、携帯電話端末は、圧力センサ２０が指により押されたとき、サブ液晶ディスプレイ２５を透過表示にさせると共に赤外線ＬＥＤを点灯させた後、認証用カメラモジュール２１による撮影を開始させ、その撮影画像情報から指の静脈パターンを抽出し、その静脈パターンと、予め登録されている静脈パターンとを照合して特定使用者の認証を行う。【選択図】  図４
2006011711.tif 000002
【特許請求の範囲】
【請求項１】
表示面のうちの少なくとも所定領域が透過表示可能となされた液晶表示手段と、
上記液晶表示手段の表示面に対して内部側となる位置に配され、且つ、上記液晶表示手段の上記所定領域に対応した位置に配された撮影手段と、
上記撮影手段での撮影の際に用いられる撮影補助光を、上記液晶表示手段の内部側から当該液晶表示手段の表示面の外側方向へ出射する撮影補助光出射手段と、
上記液晶表示手段へ所定の押圧力が加えられたことを検知する圧力検知手段と、
上記圧力検知手段が上記所定の押圧力を検知したとき、上記液晶表示手段の少なくとも上記所定領域を透過表示にさせると共に上記撮影補助光出射手段を点灯させた後、上記撮影手段による撮影を開始させ、上記液晶表示手段の上記透過表示された所定領域を介して上記撮影手段が撮影した画像情報から画像パターンを抽出し、その抽出した画像パターンと予め登録されている画像パターンとを照合して特定者の認証を行う制御手段とを有する
ことを特徴とする認証装置。
【請求項２】
請求項１記載の認証装置であって、
上記液晶表示手段は、上記所定領域に対応した位置に、光を透過する穴部が開けられた反射板を備えたバックライト部を有し、
上記制御手段は、上記圧力検知手段が上記所定の押圧力を検知したとき、上記液晶表示手段を透過表示にすることを特徴とする認証装置。
【請求項３】
請求項２記載の認証装置であって、
上記撮影補助光出射手段の発光部は、上記バックライト部の発光素子に併設されていることを特徴とする認証装置。
【請求項４】
請求項２記載の認証装置であって、
上記撮影補助光出射手段の発光部は、上記反射板の穴部の略々真下に配されていることを特徴とする認証装置。
【請求項５】
請求項２記載の認証装置であって、
上記バックライトの反射板と略々同じ反射率の反射面を有すると共に、上記反射板に開けられている上記穴部を当該反射面により必要に応じて覆う開閉プレートと、
上記開閉プレートが上記穴部を覆う被覆状態と覆わない非被覆状態とに、当該開閉プレートを駆動するプレート駆動手段とを有し、
上記制御手段は、上記撮影手段にて撮影を行う際には上記プレート駆動手段を制御して上記開閉プレートを上記非被覆状態にさせ、一方、上記撮影手段にて撮影を行わない時には上記プレート駆動手段を制御して上記開閉プレートを上記被覆状態にさせる制御を行うことを特徴とする認証装置。
【請求項６】
請求項１記載の認証装置であって、
上記制御手段は、上記特定者の認証に先立ち、上記所定領域を撮影可能領域として示すための画像を、上記液晶表示手段の表示画面上に表示させる制御を行うことを特徴とする認証装置。
【請求項７】
請求項１記載の認証装置であって、
上記撮影手段は、少なくとも赤外線を受光可能な撮像素子を有し、
上記撮影補助光出射手段は、赤外線を発する赤外線発光素子を有し、
上記制御手段は、上記撮影手段が撮影した赤外線の画像情報から上記画像パターンを抽出することを特徴とする認証装置。
【請求項８】
請求項７記載の認証装置であって、
上記制御手段は、予め登録されている特定者の指の静脈パターンと、上記撮影手段にて撮影した赤外線の画像情報から抽出した画像パターンとを照合して、特定者の認証を行うことを特徴とする認証装置。
【請求項９】
請求項１記載の認証装置であって、
上記制御手段は、上記撮影手段が撮影した画像情報に所定の補間処理を施して上記画像パターンを抽出することを特徴とする認証装置。
【請求項１０】
無線通信を行う通信手段と、
表示面のうちの少なくとも所定領域が透過表示可能となされた液晶表示手段と、
上記液晶表示手段の表示面に対して内部側となる位置に配され、且つ、上記液晶表示手段の上記所定領域に対応した位置に配された撮影手段と、
上記撮影手段での撮影の際に用いられる撮影補助光を、上記液晶表示手段の内部側から当該液晶表示手段の表示面の外側方向へ出射する撮影補助光出射手段と、
上記液晶表示手段へ所定の押圧力が加えられたことを検知する圧力検知手段と、
上記圧力検知手段が上記所定の押圧力を検知したとき、上記液晶表示手段の少なくとも上記所定領域を透過表示にさせると共に上記撮影補助光出射手段を点灯させた後、上記撮影手段による撮影を開始させ、上記液晶表示手段の上記透過表示された所定領域を介して上記撮影手段が撮影した画像情報から画像パターンを抽出し、その抽出した画像パターンと予め登録されている画像パターンとを照合して特定者の認証を行い、上記特定者の認証ができた場合に所定の機能制限を解除する制御手段とを有する
ことを特徴とする携帯端末。
【請求項１１】
請求項１０記載の携帯端末であって、
上記液晶表示手段は、上記所定領域に対応した位置に、光を透過する穴部が開けられた反射板を備えたバックライト部を有し、
上記制御手段は、上記圧力検知手段が上記所定の押圧力を検知したとき、上記液晶表示手段を透過表示にすることを特徴とする携帯端末。
【請求項１２】
請求項１１記載の携帯端末であって、
上記撮影補助光出射手段の発光部は、上記バックライト部の発光素子に併設されていることを特徴とする携帯端末。
【請求項１３】
請求項１１記載の携帯端末であって、
上記撮影補助光出射手段の発光部は、上記反射板の穴部の略々真下に配されていることを特徴とする携帯端末。
【請求項１４】
請求項１１記載の携帯端末であって、
上記バックライトの反射板と略々同じ反射率の反射面を有すると共に、上記反射板に開けられている上記穴部を当該反射面により必要に応じて覆う開閉プレートと、
上記開閉プレートが上記穴部を覆う被覆状態と覆わない非被覆状態とに、当該開閉プレートを駆動するプレート駆動手段とを有し、
上記制御手段は、上記撮影手段にて撮影を行う際には上記プレート駆動手段を制御して上記開閉プレートを上記非被覆状態にさせ、一方、上記撮影手段にて撮影を行わない時には上記プレート駆動手段を制御して上記開閉プレートを上記被覆状態にさせる制御を行うことを特徴とする携帯端末。
【請求項１５】
請求項１０記載の携帯端末であって、
上記制御手段は、上記特定者の認証に先立ち、上記所定領域を撮影可能領域として示すための画像を、上記液晶表示手段の表示画面上に表示させる制御を行うことを特徴とする携帯端末。
【請求項１６】
請求項１０記載の携帯端末であって、
上記撮影手段は、少なくとも赤外線を受光可能な撮像素子を有し、
上記撮影補助光出射手段は、赤外線を発する赤外線発光素子を有し、
上記制御手段は、上記撮影手段が撮影した赤外線の画像情報から上記画像パターンを抽出することを特徴とする携帯端末。
【請求項１７】
請求項１６記載の携帯端末であって、
上記制御手段は、予め登録されている特定者の指の静脈パターンと、上記撮影手段にて撮影した赤外線の画像情報から抽出した画像パターンとを照合して、特定者の認証を行うことを特徴とする携帯端末。
【請求項１８】
請求項１０記載の携帯端末であって、
上記制御手段は、上記撮影手段が撮影した画像情報に所定の補間処理を施して上記画像パターンを抽出することを特徴とする携帯端末。
【請求項１９】
請求項１０記載の携帯端末であって、
第１，第２の少なくとも二つの筐体と、
上記第１，第２の筐体を連結すると共に、それら各筐体間の位置関係を変更可能とする連結手段と、
上記各筐体間の位置関係が少なくとも所定の位置関係となった状態を検出する状態検出手段とを有し、
上記制御手段は、上記各筐体間の位置関係が所定の位置関係になったことを上記状態検出手段が検出したとき、上記押圧力を検知可能な状態に上記圧力検知手段を起動させる制御を行うことを特徴とする携帯端末。
【請求項２０】
請求項１９記載の携帯端末であって、
主液晶表示手段と補助液晶表示手段の少なくとも二つを有し、
上記所定領域が透過表示可能となされた液晶表示手段は、上記補助液晶表示手段であり、
当該補助液晶表示手段は、上記第１，第２の何れか一方の筐体上で且つ、各筐体間の位置関係が何れの位置関係であっても常に筐体外側となる位置に配されていることを特徴とする携帯端末。
【発明の詳細な説明】
【技術分野】
【０００１】
本発明は、特定使用者の認証を行うための認証装置及び携帯端末に関する。
【背景技術】
【０００２】
従来より、特定使用者の認証を行うための認証技術として、特開２００２−１５９０５２の公開特許公報（特許文献１）には、移動端末の液晶パネル部上に透明部材で構成された指紋認証センサを設けると共に、液晶パネル部下に圧力センサを設け、液晶パネル部上に指が載せられたことを圧力センサにて検出したとき、指紋認証センサにより指紋を読み取って指紋認証を行う技術が開示されている。
【０００３】
また、特開２００２−３７４３４６の公開特許公報（特許文献２）には、表示部を有する筐体と操作部を有する筐体とからなる折り畳み型の携帯電話機において、表示部を有する筐体の当該表示部の反対側の面に指紋読み取り部を設けた構成が開示されている。
【０００４】
【特許文献１】特開２００２−１５９０５２公報（第５図）
【特許文献２】特開２００２−３７４３４６公報（第６図）
【発明の開示】
【発明が解決しようとする課題】
【０００５】
ところで、上述した特許文献１に記載されている認証技術では、液晶パネル部上に透明部材で構成された指紋認証センサを設けており、当該指紋認証センサは静電容量方式により指紋の読み取りを行うようになされている。
【０００６】
しかしながら、この場合の指紋認証センサは常に外界に晒されることになり、静電容量検知機能の故障や誤動作が起きる可能性が非常に高い。同様の問題は、特許文献２の技術においても同様であると考えられる。また、特許文献２の技術の場合、専用の指紋読み取り部を設けなければならないため、別個に設置スペースが必要となるばかりか、携帯電話機の外観デザインを決定する上でも制約となり得る。
【０００７】
本発明は、このような課題に鑑みてなされたものであり、認証用のセンサ部が常に外部に晒されるような状態を無くすことができ、また、専用の設置スペースを必要とせずに、特定使用者の認証を行うことが可能な認証装置及び携帯端末を提供することを目的とする。
【課題を解決するための手段】
【０００８】
本発明の認証装置は、表示面のうちの少なくとも所定領域が透過表示可能となされた液晶表示手段と、液晶表示手段の表示面に対して内部側となる位置に配され且つ所定領域に対応した位置に配された撮影手段と、撮影手段での撮影の際に用いられる撮影補助光を液晶表示手段の内部側から外側方向へ出射する撮影補助光出射手段と、液晶表示手段へ所定の押圧力が加えられたことを検知する圧力検知手段と、圧力検知手段が所定の押圧力を検知したとき液晶表示手段の少なくとも所定領域を透過表示にさせると共に撮影補助光出射手段を点灯させた後、撮影手段による撮影を開始させ、当該撮影手段が画像情報から画像パターンを抽出し、その抽出した画像パターンと予め登録されている画像パターンとを照合して特定者の認証を行う制御手段とを有することにより、上述した課題を解決する。
【０００９】
また、本発明の携帯端末は、無線通信を行う通信手段と、表示面のうちの少なくとも所定領域が透過表示可能となされた液晶表示手段と、液晶表示手段の表示面に対して内部側となる位置に配され且つ所定領域に対応した位置に配された撮影手段と、撮影手段での撮影の際に用いられる撮影補助光を液晶表示手段の内部側から外側方向へ出射する撮影補助光出射手段と、液晶表示手段へ所定の押圧力が加えられたことを検知する圧力検知手段と、圧力検知手段が所定の押圧力を検知したとき液晶表示手段の少なくとも所定領域を透過表示にさせると共に撮影補助光出射手段を点灯させた後、撮影手段による撮影を開始させ、当該撮影手段が画像情報から画像パターンを抽出し、その抽出した画像パターンと予め登録されている画像パターンとを照合して特定者の認証を行い、特定者の認証ができた場合に所定の機能制限を解除する制御手段とを有することにより、上述した課題を解決する。
【００１０】
すなわち、本発明によれば、液晶表示手段の表示面よりも内側から撮影補助光を出射し、その撮影補助光が被認証物により反射された光を、液晶表示手段の内側に設けられた撮影手段により撮影し、その撮影画像から抽出した画像パターンにより、特定者の認証を行うようにしている。
【発明の効果】
【００１１】
本発明においては、特定使用者の認証を行うための認証用のセンサ部である撮影手段が液晶表示手段の内側に設けられているため、認証用のセンサが常に外部に晒されるような状態を無くすことができる。したがって、本発明によれば、誤認証や故障が少なくなる。また、本発明においては、撮影手段や撮影補助光出射手段が液晶表示手段の内側に設けられているため、認証用のセンサ部を筐体上に設ける必要がない。したがって、本発明によれば、認証用のセンサ部のための専用の設置スペースが不要となり、また、外観デザインを決める際の制約も少なくなる。
【発明を実施するための最良の形態】
【００１２】
以下、図面を参照しながら、本発明の認証装置及び携帯端末の一実施形態について説明する。なお、本実施形態では、本発明の認証装置及び携帯端末の一例として、携帯電話端末を挙げているが、勿論、ここで説明する内容はあくまで一例であり、本発明はこの例に限定されないことは言うまでもない。
【００１３】
〔携帯電話端末の概略的な外観構成〕
図１、図２には、本発明実施形態の携帯電話端末の外観構成例を示す。なお、図１は、本発明実施形態の携帯電話端末を正面側から観た概略外観図を示し、図２には、背面側から観た概略外観図を示している。
【００１４】
本実施の形態の携帯電話端末は、例えば第１の筐体１と第２の筐体２を有し、ヒンジ部（連結手段）６を介して第１の筐体１と第２の筐体２が折り重なるように二つ折り可能になされた、いわゆる折り畳み式の携帯電話端末である。すなわち本実施形態の携帯端末は第１の筐体１と第２の筐体がヒンジ部６により連結され、そのヒンジ部６を介して各筐体間の位置関係を変更可能となされた端末である。以下、図１，図２に示すように当該携帯電話端末を開いた状態を開状態と呼び、折り畳んだ状態を閉状態と呼ぶことにする。
【００１５】
図１に示すように、第１の筐体１には、例えば液晶デバイスにより構成されたメイン液晶ディスプレイ３や、受話用のスピーカ５等が備えられている。また、図２に示すように、第１の筐体１の背面側（メイン液晶ディスプレイ３側に対して背面側）には、液晶デバイスにより構成されたサブ液晶ディスプレイ１０や、カメラ部１１、当該カメラ部１１にて撮影する際の撮影補助光を発光する撮影補助ライト１２等が備えられている。なお、詳細については後述するが、本実施形態の携帯電話端末の第１の筐体の上記サブ液晶ディスプレイ１０には、例えば静脈撮影により特定使用者を認証するための認証用デバイスが併設されている。
【００１６】
一方、第２の筐体２には、携帯電話端末の主要な回路部が内蔵されている。この第２の筐体２の上面（折り畳んだ際に第１の筐体１のメイン液晶ディスプレイ３側と対向する面）には、電話番号や文字等を入力するためのキーボタンであるテンキー（１２キー）４や、発話キー、クリアキー、終話／電源キーなどの各キー、ジョグダイアル部８等からなる操作部と、送話用のマイクロホン７等が設けられている。なお、ジョグダイアル部８は、例えば円筒形の回転ダイアルと、その回転ダイアルの長尺方向の両端部にそれぞれ配される左押下キー，右押下キーと、回転ダイアルが押下操作されたことを検出するための図示しない押下検出部等により構成されている。なお、詳細については後述するが、本実施形態の携帯電話端末の回路部には、上記静脈撮影により特定使用者を認証する際の上記認証用デバイスの制御や画像解析，認証動作を行うための制御部が設けられている。
【００１７】
その他、本実施形態では、携帯電話端末が通常備えている構成の図示及びその説明については省略している。
【００１８】
〔携帯電話端末の内部回路構成〕
次に、図３には、本発明実施形態の携帯電話端末の概略的な内部構成を示す。
【００１９】
アンテナ８２は、例えば内蔵アンテナであり通話やパケット通信のための信号電波の送受信を行う。通信回路８３は、送受信信号の周波数変換、変調と復調等を行う。なお、パケット通信により送受信されるデータは、画像データや電子メール、プログラムデータ、その他の各種データである。
【００２０】
受信された通話音声のデータは、データラインを介して制御部８１へ送られる。制御部８１は、ＣＰＵ（中央処理装置）からなり、通話音声データを復号化し、その復号化後の音声データをデータラインを介してスピーカ８９へ送る。
【００２１】
スピーカ８９は、前述した受話用のスピーカ５やリンガ用のスピーカに相当し、ディジタル／アナログ変換器と増幅器を含み、通話音声やリンガ音のデータをディジタル／アナログ変換及び増幅した後、出力する。これにより、通話音声やリンガ音が得られることになる。
【００２２】
マイクロホン９０は、送話用のマイクロホン７に対応し、アナログ／ディジタル変換器と増幅器を含む。このマイクロホン９０を介して入力された通話音声信号は、増幅器により所定のレベルに増幅された後、アナログ／ディジタル変換器によりディジタル音声データに変換され、データラインを介して制御部８１へ送られて符号化された後、通信回路８３へ送られる。
【００２３】
表示制御部８６は、第１の筐体１のメイン液晶ディスプレイ３であるメイン表示部８５とサブ液晶ディスプレイ１０であるサブ表示部８７の表示を制御する。
【００２４】
操作部８４は、第２の筐体２の操作部に対応し、テンキー４やジョグダイアル部８、それらの操作に応じた操作信号を発生する操作信号発生部を有している。
【００２５】
メモリ８８は、ＲＯＭ（Read Only Memory）とＲＡＭ（Random Access Memory）を含む。ＲＯＭは、制御部８１が各部を制御するための制御プログラムや各種の初期設定値、フォントデータ、辞書データ、本実施形態における後述する特定使用者の認証処理やその制御を行うためのプログラムコード、電子メールの作成や編集等を行うためのアプリケーション用のプログラムコード、画像に対して様々な処理を行うためのアプリケーション用プログラムコード、その他、携帯電話端末に搭載される各種のアプリケーション用のプログラムコード、当該携帯電話端末の識別情報（ＩＤ）などを記憶している。このＲＯＭは、ＥＥＰＲＯＭ（Electrically Erasable Programmable Read-Only Memory）のような書き換え可能なＲＯＭを含み、電子メールデータ、ユーザにより設定される電話帳や電子メールアドレス、カメラ部１１等により撮影された写真画像データ、ダウンロードされた写真データや着信音データ、文字データや予測変換の候補単語の登録データや予測変換の学習データ、後述する特定使用者の認証のために予め登録された静脈パターンの情報、その他、各種のユーザ設定値等を保存することも可能となされている。ＲＡＭは、制御部８１が各種のデータ処理を行う際の作業領域として、随時データを格納する。
【００２６】
開閉検知センサ９２は、本実施形態の携帯電話端末の現在の状態が図１，図２に示したような開状態であるのか、或いは、折り畳まれた閉状態であるのかを検知可能な例えばスイッチ等からなるセンサである。
【００２７】
カメラ部９１は、図２に示したカメラ部１１に対応し、レンズ系及びそのレンズ系のフォーカス合わせを自動的に行うためのオートフォーカス機構と、撮像素子等などを備えている。
【００２８】
認証用カメラモジュール２１は、本実施形態における特定使用者の認証の際に、例えば指の静脈画像を撮影するためのデバイスであり、その詳細な構成及び動作については後述する。
【００２９】
圧力センサ２０は、本実施形態における特定使用者の認証開始のトリガ信号を発生するためのデバイスであり、その詳細な構成及び動作については後述する。
【００３０】
赤外線ＬＥＤ９５は、本実施形態における特定使用者の認証の際に、例えば指等の静脈を撮影するための撮影補助光を発光するための発光デバイスであり、また、ＬＥＤ駆動部９４は、上記赤外線ＬＥＤ９５に駆動電流を供給する駆動回路である。これらの詳細な構成及び動作については後述する。
【００３１】
スライドプレート駆動部９６は、電磁石３８に駆動電流を供給することにより、上記認証用カメラモジュール２１に取り付けられている後述するスライドプレートを駆動するためのデバイスであり、それらの詳細な構成及び動作については後述する。
【００３２】
本実施形態の携帯電話端末は、上記認証用カメラモジュール２１，圧力センサ２０，赤外線ＬＥＤ９５，スライドプレート駆動部９６，電磁石３８等を、特定使用者の認証用デバイスとして具備している。
【００３３】
制御部８１は、上述した通話音声データの符号化や復号化の他、制御ラインを介して当該携帯電話端末の各構成要素の制御等、各種の演算処理を行う。また、本実施形態の場合、制御部８１は、特定使用者の認証の際に、後述するように、認証用デバイスの制御や画像解析等を行う。
【００３４】
その他、図３には図示を省略しているが、本実施形態の携帯電話端末は、各部に電力を供給する電源回路や、音楽や画像の記録再生を行うための記録再生部、ブラウザ機能、外部ケーブル用コネクタ、外部リモートコントローラの接続コネクタ、携帯電話端末の現在位置を検出するための測位デバイスであるＧＰＳ（Global Positioning System）通信部とそのアンテナなどを備えている。
【００３５】
〔使用者認証のための構成〕
以下、本実施形態の携帯電話端末の認証用デバイスの具体的構成について説明する。
【００３６】
図４には、閉状態となっている本実施形態の携帯電話端末を側面側から観た概略透視図であり、特に本発明にかかる主要部であるサブ液晶ディスプレイ１０とそれに併設若しくは内蔵された認証用デバイス部分についての構成を示している。なお、図４は、本発明にかかる主要部以外の他の構成の図示については省略している。
【００３７】
図４において、液晶モジュール２５は、サブ液晶ディスプレイ１０の本体に相当する。当該液晶モジュール２５は、図５及び図６の概略図に示すように、主要な構成要素として、ガラス板部５０と、Ｒ（赤），Ｇ（緑），Ｂ（青）のカラーフィルタ部５１と、液晶分子５２と、液晶分子５２を封入すると共に配向させた液晶分子封入部５３と、上記液晶分子５２を偏向駆動させるためのアクティブ素子であるＴＦＴ（Thin Film Transistor）部５４と、ＬＥＤ（Light Emitting Diode）部２３を側面部に備えると共に当該ＬＥＤ２３部からの光をガラス板部５０の方向（つまり外部方向）へ導くプリズム部５８及び反射板５７を底面部に備えたバックライト部５５等を有している。特に、本実施形態において、上記バックライト部５５のＬＥＤ２３部は、所謂バックライトとして通常の可視光を出射するバックライト光源用ＬＥＤとそれに併設された赤外線ＬＥＤ（図３の赤外線ＬＥＤ９５）とからなる。なお、図５は、バックライト部５５の反射板５７の面に対して、各液晶分子５２が略々平行方向に配向している状態を示しており、図６は、略々垂直方向に配向している状態を示している。
【００３８】
上記液晶モジュール２５の外側には、図４に示すように、透明部材により構成された圧力センサ２０が設けられている。当該圧力センサ２０は、例えば使用者の指等により当該圧力センサ２０が少なくとも所定値以上の力で押されたとき、すなわちサブ液晶ディスプレイ１０が使用者の指等により押されたとき、それを検知するためのデバイスである。
【００３９】
一方、液晶モジュール２５の内側には、図４に示すように、少なくとも赤外線を受光可能な認証用カメラモジュール２１が設けられている。
【００４０】
ここで、本実施形態の携帯電話端末において、液晶モジュール２５のバックライト部５５の反射板５７には、図５，図６に示すように、当該液晶モジュール２５の内側に配されている認証用カメラモジュール２１のレンズ４１にて外部からの光を取り込めるようにするための穴部６０が設けられている。すなわち、反射板５７の穴部６０は、認証用カメラモジュール２１のレンズ４１と相対応する位置に設けられている。これにより、認証用カメラモジュール２１のレンズ４１側から上記反射板５７の穴部６０を見た場合、当該穴部６０は、外部からの光を透過する透過部となる。特に、図６に示したように、液晶モジュール２５の液晶分子５２が略々垂直方向に配向している場合、認証用カメラモジュール２１は、上記透過部を通して入射してくる外部からの光を受光すること、つまり外部の画像を撮影することが可能となる。なお、図７には、上記液晶モジュール２５の透過部近傍を上記ガラス板部５０側からみた様子を示しており、この図７の例ではＴＦＴのＡｌ（アルミ）配線やＭｏ（モリブテン）配線とカラーフィルタのＲ，Ｇ，Ｂ領域が見えている状態を示している。また、図８には、認証用カメラモジュール２１と液晶モジュール２５の反射板５７のみを斜め方向から見た斜視図を示している。
【００４１】
また、本実施形態の携帯電話端末において、上記認証用カメラモジュール２１には、上記液晶モジュール２５のバックライト部５５の底面（反射板５７が設けられている面）側に、図９に示すように、上記バックライト部５５の反射板５７と略々同じ反射率の反射面３４を有するスライドプレート３５と、当該認証用カメラモジュール２１の筐体に一端が軸止されると共にその他端側が上記スライドプレート３５の所定位置に設けられた貫通穴部に回動自在に嵌挿された支点３６と、上記スライドプレート３５上において上記反射面３４が設けられた端部と相対応した端部位置近傍に固定された磁石３７と、図３のスライドプレート駆動部９６から供給される電流により上記磁石３７を図９中矢印Ａ３，Ａ４方向へ移動させるための電磁石３８とが設けられている。すなわち、電磁石３８に電流を流すことで磁石３７を図９中矢印Ａ３方向へ移動させた場合、スライドプレート３５は上記支点３６に対して左回りに回転し、当該スライドプレート３５上の反射面３４側は図９中矢印Ａ１方向に移動することになり、逆に、電磁石３８に電流を流すことで磁石３７を図９中矢印Ａ４方向へ移動させた場合、スライドプレート３５は上記支点３６に対して右回りに回転し、当該スライドプレート３５上の反射面３４側は図９中矢印Ａ２方向に移動することになる。
【００４２】
ここで、本実施形態の携帯電話端末において、スライドプレート駆動部９６から電磁石３８への電流供給は、図３の制御部８１により制御される。そして、例えば、電磁石３８に電流を流すことで磁石３７を図９中矢印Ａ３方向へ移動させる場合、上記電磁石３８への電流供給は、上記バックライト部５５の反射板５７に設けられている穴部６０上に上記スライドプレート３５の反射面３４が合致したところで止めら、逆に、電磁石３８に電流を流すことで磁石３７を図９中矢印Ａ４方向へ移動させる場合、上記電磁石３８への電流供給は、上記バックライト部５５の反射板５７に設けられている穴部６０上から上記スライドプレート３５が完全に外れたところで止められる。すなわち本実施形態の携帯電話端末によれば、液晶モジュール２５上に画像等を表示する際には、上記バックライト部５５の反射板５７の穴部６０を上記スライドプレート３５の反射面３４により塞ぐことで、バックライト部５５に設けられている穴部６０によって液晶表示が暗くなってしまうことを防ぐようにし、一方、認証用カメラモジュール２１にて撮影を行う際には、上記スライドプレート３５をバックライト部５５の反射板５７の穴部６０上から外すことにより、当該穴部６０を通して、当該認証用カメラモジュール２１にて外部の画像を撮影可能としている。
【００４３】
なお、上述の例では、スライドプレート３５に反射面３４を備える例を挙げたが、当該スライドプレート３５の全面が反射面となされていれば、上述のようにバックライト部５５の反射板５７の穴部６０と上記スライドプレート３５の反射面３４を正確に合致させるような電流制御は不要となる。また、本実施形態において、上記バックライト部５５の反射板５７の穴部６０上に上記スライドプレート３５の反射面３４が合致したところで止められた場合、実際には、バックライト部５５の反射板５７とスライドプレート３５の反射面３４とで、高さ方向（反射面に対して垂直方向）に位置誤差が生ずることになるが、本実施形態では、その誤差をプリズム５８にて吸収する構成となっている。
【００４４】
上述の実施形態では、赤外線ＬＥＤ９５をバックライト部５５のＬＥＤ部２３内の各ＬＥＤ素子に併設させる例を挙げたが、例えば図１０に示すように、液晶モジュール２５の反射板５７の穴部６０の略々直下で且つ認証用カメラモジュール２１の近傍に設け（赤外線ＬＥＤ２２，２２）ても良い。但し、上述した図４の例のように、赤外線ＬＥＤ９５をバックライト部５５のＬＥＤ２３内に併設させるようにした場合は、図１０の例のように赤外線ＬＥＤを別個に備えて配置する必要がなく、構成の小型化には有利である。
【００４５】
〔使用者の静脈認証動作〕
次に、本実施形態の携帯電話端末において、特定使用者の静脈撮影による認証動作について説明する。
【００４６】
上述したような構成の認証用デバイスを有する本実施形態の携帯電話端末において、特定使用者の静脈認証を行う場合、制御部８１は、使用者の指を載せるべき位置を指定するための画像を生成し、表示制御部８６を介して、その画像をサブ液晶ディスプレイ１０の画面上に表示させる。ここで、使用者の指を載せるべき位置を示す画像とは、図１１に示すように、例えば前述した液晶モジュール２５の透過部を通じて認証用カメラモジュール２１が撮影を行うことのできる領域（撮影可能領域４５とする）を表す画像である。
【００４７】
次に、例えば、サブ液晶ディスプレイ１０が使用者の指等にて押されることにより、上記圧力センサ２０が所定値以上の圧力を検知したとき、制御部８１は、スライドプレート駆動部９６を制御し、前述の図９で説明した電磁石３８へ電流を供給させることにより、上記認証用カメラモジュール２１のレンズ４１上から外れる方向（図９の矢印Ａ２方向）へ上記スライドプレート３５を回動させる。またこの時の制御部８１は、ＬＥＤ駆動部９４を制御することにより、前記液晶モジュール２５のバックライト部５５に備えられているＬＥＤ部２３の赤外線ＬＥＤ９５を点灯させると同時に、表示制御部８６を制御することにより、液晶モジュール２５内の液晶分子５２を図６に示したように垂直方向に配向させる。これにより、ＬＥＤ部２３の赤外線ＬＥＤ９５から出射された赤外線の光は、バックライト部５５のプリズム５８により進路が曲げられ、図６の透過部を介して外部方向へ出射されることになる。そしてこのとき、当該サブ液晶ディスプレイ１０上には使用者等の指が置かれているため、当該赤外線の光はその指に照射されることになる。
【００４８】
上記使用者等の指に照射された赤外線の光は、当該指の内部へ到達すると同時に静脈等により反射される。当該静脈等により反射された赤外線の光は、上記液晶モジュール２５の透過部を介し、さらにバックライト部５５の反射板５７に設けられている穴部６０を通過して、認証用カメラモジュール２１のレンズ４１へ入射することになる。これにより、認証用カメラモジュール２１の撮像素子上には、上記指の静脈等の画像が結像されることになる。そして、この認証用カメラモジュール２１からの画像情報は、制御部８１へ送られる。
【００４９】
制御部８１は、上記認証用カメラモジュール２１からの画像情報を受け取ると、その画像を解析し、指の静脈パターンを抽出する。但し、本実施形態の場合、認証用カメラモジュール２１の撮像素子上に結像された画像は、上記液晶モジュール２５のバックライト部５５に設けられている各プリズム５８を通過した画像となっている。すなわち、認証用カメラモジュール２１から見た液晶モジュール２５の透過部内には、図１２に示すように配列されたプリズム５８が見えることになるため、図１３に示すように、当該認証用カメラモジュール２１の撮像素子の各画素７０上には、それら各プリズム５８越しの画像が結像されることになる。すなわち具体的な例を挙げて図示すると、認証用カメラモジュール２１の撮像素子上には、例えば図１４に示すような断片的（不連続）な静脈画像が結像されることになる。したがって、この図１４の静脈画像から得られる画像情報は、例えば図１５に示すような断片的（不連続）な画像情報となる。このようなことから、制御部８１は、上記認証用カメラモジュール２１から送られてきた図１５に示した断片的（不連続）な静脈の画像情報に対して、例えば、本実施形態の認証用プログラムが保持しているパターンに基づく補間等の画像解析処理を行うことにより、図１６に示すような連続的な静脈パターンを抽出する。
【００５０】
その後、制御部８１は、上述のような画像解析処理により得られた静脈パターンと、予め登録されてメモリ８８に記憶されている特定使用者の静脈パターンとを照合し、それら静脈パターンが一致したときには正当な使用者であると判断し、当該携帯電話端末にかけられている各種の機能制限を解除する。一方で、抽出した静脈パターンと予め登録されている使用者の静脈パターンとが一致しないとき、制御部８１は、機能制限を解除しない。これにより、本実施形態の携帯電話端末は、正当な特定の使用者のみが使用可能となる。なお、上述のような認証を行っていないとき、制御部８１は、上記サブ液晶ディスプレイ１０上に待ち受け画面等の通常の画面を表示させる。
【００５１】
上述したように、本実施形態の携帯電話端末によれば、特定使用者の静脈認証を行う際に、サブ液晶ディスプレイ１０上に撮影可能領域４５を表す画像を表示させることにより、使用者に対して指を載せるべき位置を知らせることができるようになっている。
【００５２】
また、本実施形態の認証用デバイスによれば、液晶モジュール２５の全表示面に対して一部分のみに透過部を設け、その透過部を介して認証用カメラモジュール２１にて撮影を行うようにしているため、認証用カメラモジュール２１のレンズ４１の視野周辺付近のような収差が大きく精密な画像を得難い部分をカットでき、レンズ４１の収差が少ない視野中心部のシャープな画像のみを認証の際に使用した正確な静脈認証が可能になると共に、透過部を介した画像情報のみを扱うことで余分な撮影データを省き、画像解析処理の負荷を軽減可能となっている。さらに本実施形態の認証用デバイスによれば、上記透過部により赤外線の照射面積を制限しているため、赤外線ＬＥＤを効率よく設置することも可能となる。
【００５３】
〔特定使用者の静脈パターンの登録処理〕
図１７には、図３のメモリ８８に特定使用者の静脈パターンを登録する際の処理の流れを示す。
【００５４】
図１７において、先ず、例えば操作部８４を介して、使用者から静脈パターンの登録モードの開始指示が入力されたことを検出（ステップＳ１）すると、制御部８１は、ステップＳ２の処理として、圧力センサ２０と認証用カメラモジュール２１を起動させると共に、スライドプレート駆動部９６を制御してスライドプレート３５を図９の図中矢印Ａ２方向に回動させ、また、表示制御部８６を制御することによりサブ液晶ディスプレイ１０の液晶モジュール２５の液晶分子５２を図６のように垂直方向に配向させ、さらに、ＬＥＤ駆動部９４を制御することにより赤外線ＬＥＤ５９を点灯させる。
【００５５】
次に、制御部８１は、ステップＳ３の処理として、使用者の指等により圧力センサ２０が所定値以上の力で押されたか否かを、当該圧力センサ２０からの検知信号により判断する。当該ステップＳ３にて圧力センサ２０が所定値以上の力で押されたことを検知すると、制御部８１はステップＳ４へ処理を進める。
【００５６】
ステップＳ４の処理に進むと、制御部８１は、認証用カメラモジュール２１が使用者の指の静脈を撮影した画像情報を取り込み、その画像情報を解析及び補間して静脈パターンを抽出する。
【００５７】
次いで、制御部８１は、ステップＳ５の処理として、ステップＳ４にて抽出した静脈パターンを正当な特定使用者の静脈パターンとしてメモリ８８内に記憶（登録）させる。
【００５８】
その後、制御部８１は、例えば操作部８４を介して使用者から静脈パターンの登録モードの終了指示が入力されたことを検出（ステップＳ６）すると、この図１７の登録処理を終了する。
【００５９】
〔特定使用者の静脈パターンの認証処理〕
図１８には、本実施形態の携帯電話端末における静脈認証と、静脈認証による機能制限の解除の際の処理の流れを示す。なお、ここでは、例えば電源投入直後のように当該携帯電話端末が機能制限中の状態になっているとして説明を進める。
【００６０】
図１８において、制御部８１は、ステップＳ１０の処理として、当該携帯電話端末が閉状態になっているか否か判定し、閉状態であるときにはステップＳ１１の処理として圧力センサ２０を起動する。
【００６１】
次に、制御部８１は、ステップＳ１２の処理として、使用者の指等により圧力センサ２０が所定値以上の力で押されたか否かを、当該圧力センサ２０からの検知信号により判断する。当該ステップＳ１２にて圧力センサ２０が所定値以上の力で押されたことを検知すると、制御部８１はステップＳ１３へ処理を進める。
【００６２】
ステップＳ１３の処理に進むと、制御部８１は、認証用カメラモジュール２１を起動させると共に、スライドプレート駆動部９６を制御してスライドプレート３５を図９の図中矢印Ａ２方向に回動させ、また、表示制御部８６を制御することによりサブ液晶ディスプレイ１０の液晶モジュール２５の液晶分子５２を図６のように垂直方向に配向させ、さらに、ＬＥＤ駆動部９４を制御することにより赤外線ＬＥＤ５９を点灯させる。
【００６３】
次に、制御部８１は、ステップＳ１４の処理として、認証用カメラモジュール２１が使用者の指の静脈を撮影した画像情報を取り込み、その画像情報を解析及び補間して静脈パターンを抽出する。
【００６４】
次いで、制御部８１は、ステップＳ１５の処理として、予め登録されている正当な特定使用者の静脈パターンをメモリ８８から読み出し、当該正当な特定使用者の静脈パターンとステップＳ１４にて抽出した静脈パターンとを照合する。
【００６５】
そして、上記ステップＳ１５において、両静脈パターンが一致した場合、制御部８１は、ステップＳ１６の処理として、当該携帯電話端末の機能制限を解除し、この図１８の処理を終了する。
【００６６】
〔まとめ〕
以上説明したように、本実施形態の携帯電話端末によれば、認証用デバイスの主要部である認証用カメラモジュール２１や赤外線ＬＥＤ５９等が、サブ液晶ディスプレイ３の液晶モジュール２５の内側に配されているため、それら認証用デバイスの主要部が常に外部に晒されるようなことがなく、したがって、故障や特定使用者の誤認証を少なくすることができる。
【００６７】
また、本実施形態の携帯電話端末によれば、認証用デバイスの主要部がサブ液晶ディスプレイ３内に配されているため、専用の設置スペースが不要であり、したがって筐体の小型化が可能であると共に、携帯電話端末の外観デザインを決定する上での制約も少ない。
【００６８】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００６９】
例えば、本発明の携帯端末は、携帯電話端末だけでなくＰＤＡ装置（PDA：Personal Digital Assistants）等であっても良く、また、本発明の認証デバイスは携帯電話端末等の携帯端末のみならず、その他の各種電子装置にも搭載可能である。
【００７０】
また、本発明の認証装置は、上述した実施形態のような静脈認証だけでなく、例えば指紋認証にも適用可能である。指紋認証を行う場合は、認証用カメラモジュール２１と指の表面との間の距離が近くなるため、上記認証用カメラモジュール２１のレンズ４１の構成として例えば凹レンズを配することで、短い距離でも焦点を合わせられるようにする。
【００７１】
その他、本発明は、表示部を備えた第１の筐体と操作部を備えた第２の筐体とが、上記表示部若しくは操作部の表面に対して略々垂直となされた回転軸を備えたヒンジ機構（連結手段）を介して相互に水平方向に回動自在となされ、上記ヒンジ機構により各筐体間の相対的な位置関係が変更可能となされたいわゆる回転オープン型の携帯電話端末や、三つ以上の筐体がヒンジ等の連結手段を介してそれぞれ相対的に回転可能となされた端末、或いは、主に表示部を備えた第１の筐体とその表示部の表示面と同一方向となる表面上に操作部を備えた第２の筐体とが、互いに水平方向に直線的にスライド可能となされたスライド型の端末などにも適用可能である。
【図面の簡単な説明】
【００７２】
【図１】本発明実施形態の携帯電話端末を正面側から観た概略的な外観図である。
【図２】本発明実施形態の携帯電話端末を背面側から観た概略的な外観図である。
【図３】本発明実施形態の携帯電話端末の概略的な内部構成を示すブロック図である。
【図４】本実施形態の携帯電話端末を側面側から観た概略透視図である。
【図５】液晶モジュールと認証用カメラモジュールの概略構成を示し、液晶モジュールの各液晶分子がバックライト部の反射板の面に対して略々平行方向に配向している状態を示す図である。
【図６】液晶モジュールと認証用カメラモジュールの概略構成を示し、液晶モジュールの各液晶分子がバックライト部の反射板の面に対して略々垂直方向に配向している状態を示す図である。
【図７】液晶モジュールの透過部近傍をガラス板部側からみた様子を示す図である。
【図８】認証用カメラモジュールと液晶モジュールの反射板のみを斜め方向から見た外観斜視図である。
【図９】認証用カメラモジュールに備えられたスライドプレートとその駆動部の概略構成を示す図である。
【図１０】本発明の他の実施形態の携帯電話端末を側面側から観た概略透視図である。
【図１１】認証用カメラモジュールの撮影可能領域を表す表示画像の一例を示す図である。
【図１２】認証用カメラモジュールから見た液晶モジュールの透過部内のプリズムの配列を示す図である。
【図１３】液晶モジュールの透過部内に配されたプリズムと認証用カメラモジュールの撮像素子上の結像された画素の関係説明に用いる図である。
【図１４】液晶モジュールの透過部内に配されたプリズム越しの撮影により、認証用カメラモジュールの撮像素子上の結像された静脈画像の例についての説明に用いる図である。
【図１５】液晶モジュールの透過部内に配されたプリズム越しの撮影により得られる不連続な静脈画像を表す図である。
【図１６】液晶モジュールの透過部内に配されたプリズム越しの撮影により得られた不連続な静脈画像を補間することで抽出された連続的な静脈パターンを表す図である。
【図１７】メモリに特定使用者の静脈パターンを登録する際の処理の流れを示すフローチャートである。
【図１８】本実施形態の携帯電話端末における静脈認証と、静脈認証による機能制限の解除の際の処理の流れを示すフローチャートである。
【符号の説明】
【００７３】
１  第１の筐体、２  第２の筐体、３  メイン液晶ディスプレイ、４  テンキー、５，８９  スピーカ、６  ヒンジ部、７，９０  マイクロホン、８  ジョグダイアル部、１０  サブ液晶ディスプレイ、１１，９１  カメラ部、１２  カメラ部用の撮影補助ライト、２０  圧力センサ、２１  認証用カメラモジュール、２２，２２，９５  赤外線ＬＥＤ、２３  バックライト用のＬＥＤ部、２５  液晶モジュール、３４  スライドプレート上の反射面、３５  スライドプレート、３６  支点、３７  磁石、３８  電磁石、４１  レンズ、４５  撮影可能領域、５０  ガラス板部、５１  カラーフィルタ部、５２  液晶分子、５３  液晶分子封入部、５４  ＴＦＴ部、５５  バックライト部、５７  バックライトの反射板、５８  プリズム、６０  反射板の穴部、７０  認証用カメラモジュールの撮像素子の画素、８１  制御部、８２  アンテナ、８３  通信回路、８４  操作部、８５  メイン表示部、８６  表示制御部、８７  サブ表示部、８８  メモリ、９２  開閉検知センサ、９４  ＬＥＤ駆動部、９６  スライドプレート駆動部
【図１】
2006011711.tif 000003
【図２】
2006011711.tif 000004
【図３】
2006011711.tif 000005
【図４】
2006011711.tif 000006
【図５】
2006011711.tif 000007
【図６】
2006011711.tif 000008
【図７】
2006011711.tif 000009
【図８】
2006011711.tif 000010
【図９】
2006011711.tif 000011
【図１０】
2006011711.tif 000012
【図１１】
2006011711.tif 000013
【図１２】
2006011711.tif 000014
【図１３】
2006011711.tif 000015
【図１４】
2006011711.tif 000016
【図１５】
2006011711.tif 000017
【図１６】
2006011711.tif 000018
【図１７】
2006011711.tif 000019
【図１８】
2006011711.tif 000020